(57)【特許請求の範囲】
【請求項１】
平板状をなす鍔部（１ａ）、この鍔部（１ａ）から下方に向かって突出する支持筒部１ｂおよび、この支持筒部（１ｂ）の内側で前記蓋部材（１）からその上下両方向に延びる第２燃料吐出路（１ｃ）を一体に形成してなる蓋部材（１）と；
ポンプ収納筒部（２ｂ）、このポンプ収納筒部（２ｂ）から上方に延びて前記支持筒部（１ｂ）にその下方から嵌合されて係止される挿入筒部（２ａ）、並びに前記ポンプ収納筒部（２ｂ）および挿入筒部（２ａ）間の内周壁に支持されてこれらポンプ収納筒部（２ｂ）および挿入筒部（２ａ）内で上下方向に延び、上端部が前記第２燃料吐出路（１ｃ）の下端部に接続される第１燃料吐出路（２ｃ）を一体に形成してなるポンプ筐体（２）と；
前記ポンプ収納筒部（２ｂ）に、その下方から収容されるとともに、ポンプ吐出路（Ｐａ）を前記第１燃料吐出路（２ｃ）の下端部に連通させる燃料ポンプ（Ｐ）と；
ポンプ筐体（２）の下端に係止されて、前記燃料ポンプ（Ｐ）の下端（Ｐｃ）を支持するポンプホルダー（１２）と；より構成され、
前記支持筒部（１ｂ）、ポンプ筐体（２）およびポンプホルダー（１２）が、燃料タンク（Ｔ）の上方開口部（Ｔａ）を通して燃料タンク（Ｔ）内に配置されるとともに前記鍔部（１ａ）が前記上方開口を閉塞するように配置される燃料ポンプユニット装置において、
前記ポンプ吐出路（Ｐａ）および第１燃料吐出路（２ｃ）を相互に上下方向に離間させるようにして前記燃料ポンプ（Ｐ）の上部を前記ポンプ収容筐体（２）に収容する一方、  前記ポンプホルダー（１２）を、前記ポンプ収容筐体（２）から下方に突出した前記燃料ポンプ（Ｐ）の下部を収容するように形成し、
上下に離間した前記ポンプ吐出路（Ｐａ）および第１燃料吐出路（２ｃ）間に、それらを互いに連通する燃料ポンプ接続カラー（１０）を配置し、この燃料ポンプ接続カラー（１０）は、前記第１燃料吐出路（２ｃ）の下端に当接する上方係止段部（１０ａ）および、前記燃料ポンプ（Ｐ）の上端面に当接する下端（１０ｂ）を有することを特徴とする燃料ポンプユニット装置。
【発明の詳細な説明】
【技術分野】
【０００１】
本発明は、燃料タンク内の燃料を燃料ポンプによって昇圧し、この昇圧された燃料を機関に向けて供給する燃料供給装置に関し、そのうち特に、燃料ポンプが筐体、支持ブラケット等に固定配置されて燃料ポンプユニット装置が形成され、かかる燃料ポンプユニット装置が燃料タンクの上方開口部より燃料タンク内に挿入配置される、いわゆるインタンク方式の燃料ポンプユニット装置に関する。
【背景技術】
【０００２】
かゝる燃料ポンプユニット装置は、特許文献１に開示されるように、既に知られている。
【特許文献１】特開２００３−７４４３６号公報
【発明の開示】
【発明が解決しようとする課題】
【０００３】
従来の燃料ポンプユニット装置について図２により説明する。
１は合成樹脂材料によって形成され、燃料タンクＴの上方開口部Ｔａを閉塞する蓋部材であり、平板状をなす鍔部１ａと、鍔部１ａの下端から下方に向かって突出する筒状をなす支持筒部１ｂとを一体に形成してなるもので、その鍔部１ａには、支持筒部１ｂの内側において、鍔部１ａの上下両方向にのびる第２燃料吐出路１ｃが一体に形成される。この第２燃料吐出路１ｃの下端開口１ｃ１は支持筒部１ｂの内方にあって、下方向に向かって開口し、上端開口１ｃ２は鍔部１ａより上方に突出し外部に向けて開口する。又、前記支持筒部１ｂには、四角形状をなす係止孔１ｄが貫通して穿設される。
２は合成樹脂材料によって形成され、燃料ポンプＰを収納するポンプ筐体である。
ポンプ筐体２は、その上方に、前記支持筒部１ｂに挿入される挿入筒部２ａが形成され、その下方にポンプ収納筒部２ｂが一体形成される。又、挿入筒部２ａおよびポンプ収納筒部２ｂの内部には、上下方向に延びる第１燃料吐出路２ｃが配置されるもので、この第１燃料吐出路２ｃは、挿入筒部２ａおよびポンプ収納筒部２ｂ間の内周壁に、半径方向の支持部２ｆを介して支持される。これら挿入筒部２ａ、ポンプ収納筒部２ｂ、支持部２ｆおよび第１燃料吐出路２ｃは一体に形成される。第１燃料吐出路２ｃの上端開口２ｃ１は上方に向かって開口し、下端開口２ｃ２は、下方に向かいポンプ収納筒部２ｂ内に向けて開口する。
又、ポンプ筐体２の上方の挿入筒部２ａの外周には、上方係止突部２ｄが形成され、下方のポンプ収納筒部２ｂの外周には、下方係止突部２ｅが形成される。
前記、上方係止突部２ｄは、挿入筒部２ａの上部外周に形成され、上方から下方に向けてその径が順次増加する傾斜面部を備え、下方に臨む係止段部２ｄ１が形成される。
又、下方係止突部２ｅは、ポンプ収納筒部２ｂの下部外周に形成され、下方から上方に向けてその径が順次増加する傾斜面部を備え、上方に臨む係止段部２ｅ１が形成される。
３は合成樹脂材料によって形成され有底カップ状をなすポンプホルダーであり、底部３ａから上方に向かい筒部３ｂが形成され、筒部３ｂには四角形状をなす係止孔３ｃが貫通して穿設される。
更にポンプホルダー３の底部３ａには下方に向かう第１孔３ｄと第２孔３ｅが貫通して穿設される。
【０００４】
そして燃料ポンプユニット装置Ｕは、以下によって形成される。
まず、ポンプ筐体２のポンプ収納筒部２ｂの下方開口から燃料ポンプＰをポンプ収納筒部２ｂ内に挿入配置するもので、このとき、上端Ｐｂより上方に突出するポンプ吐出路Ｐａは、第１燃料吐出路２ｃの下端開口２ｃ２内に挿入接続される。
次に、燃料ポンプＰの下端Ｐｃに臨んで、ポンプホルダー３の底部３ａを配置するとともに筒部３ｂをポンプ収納筒部２ｂの外周に向けて挿入配置するもので、前記挿入時において、筒部３ｂに穿設された係止孔３ｃが、ポンプ収納筒部２ｂの外周に形成された下方係止突部２ｅの係止段部２ｅ１に係止されることにより、ポンプホルダー３が下方に抜けることがなくポンプホルダー３は、ポンプ収納筒部２ｂの外周に固定配置される。
そして、上記においてポンプホルダー３の底部３ａと燃料ポンプＰの下端Ｐｃとの間にゴム材料よりなるクッション部材４が配置されることにより、燃料ポンプＰはユルミがなくポンプ収納筒部２ｂ内に収納できる。
更にポンプホルダー３の底部３ａより、第１孔３ｄを介してポンプ吸入路Ｐｄが下方に突出して配置され、第２孔３ｅを介して係止杆Ｐｅが下方に突出して配置される。
そして、フィルター５の内方に連なるフィルター流路５ａが燃料ポンプＰの下端Ｐｃより下方に突出するポンプ吸入路Ｐｄに接続され、フィルター流路５ａより側方にのびる鍔部５ｂに穿設された孔が係止杆Ｐｅに挿入され、更に鍔部５ｂがポンプホルダー３の底部３ａと係止杆Ｐｅに嵌合されたＥクリップ６によって挟持され、ポンプホルダー３に固定される。
以上によると、ポンプ筐体２のポンプ収納筒部２ｂ内にポンプホルダー３によって燃料ポンプＰが固定配置され、ポンプホルダー３の下方に、燃料ポンプＰのポンプ吸入路Ｐｄに接続されるフィルター５が突出して固定配置される。
そして、上記燃料ポンプＰ、フィルター５を備えるポンプ筐体２の挿入筒部２ａを、蓋部材１の支持筒部１ｂの下端から上方に向けて挿入配置するもので、これによると上方係止突部２ｄの係止段部２ｄ１が支持筒部１ｂの係止孔１ｄに係止されることによってポンプ筐体２が蓋部材１に一体的に取着される。
尚、前記ポンプ筐体の挿入時において、ポンプ筐体２の第１燃料吐出路２ｃの上端開口２ｃ１は蓋部材１の第２燃料吐出路１ｃの下端開口１ｃ１に接続配置される。
以上によって燃料ポンプユニット装置Ｕが形成されたもので、該装置は燃料タンクＴの上方開口部Ｔａより燃料タンクＴ内に向かって挿入されるもので、フィルター５を含む燃料ポンプＰは燃料タンクＴ内に配置され、前記上方開口部は蓋部材１の鍔部１ａによって閉塞されるとともに燃料タンクＴに固定される。
【０００５】
以上によると、燃料ポンプＰのモータ部に通電されて内部のインペラー等のポンプ部が駆動すると、燃料タンクＴ内の燃料はフィルター５によってその異物が除去され、清浄な燃料が、フィルター流路５ａ、ポンプ吸入路Ｐｄを介してポンプ部内に吸入され、ポンプ部によって昇圧された燃料は、ポンプ吐出路Ｐａ、第１燃料吐出路２ｃ、第２燃料吐出路１ｃを介して機関に向けて供給される。
【０００６】
かかる燃料ポンプユニット装置において、燃料タンクＴ内の異物を除去するフィルター５は、燃料タンクＴの底部Ｔｂの近傍にあって、一定の高さＡに配置される。（例えば１０ミリメートル上方に配置される）
これは、フィルター５を底部Ｔｂより離れた上方位置に配置すると、燃料タンクＴ内の燃料を有効に使用することができず燃料タンクＴ内の燃料の死残量が増えるからである。
一方、かかる燃料ポンプユニット装置を、多数の機関に共通に使用することにより増量効果をあげ、その製造コストを低減することが望ましいものであるが、特に大排気量の機関にかかる燃料ポンプユニット装置Ｕを採用した際、大排気量機関における燃料タンク容量が大であることにより、タンク深さが深くなり、フィルター５が燃料タンクＴの底部Ｔｂより大きく上方位置Ｂに配置され、燃料の死残量が大きく増加し、好ましいものでない。（タンク深さの深い燃料タンクＴは図２において一点鎖線で示される）
ここで前記不具合を解決する為に、燃料タンクの上方開口部の位置を下げる等の燃料タンクの改造、あるいは、蓋部材、ポンプ筐体、の改造が考えられるが、かかる改造によると、比較的に大型部品の型改造することになり、その製造コストが大きく上昇して好ましいものでない。特に燃料タンクＴの改造は二輪車において大きく外観形状を変えることにつながる。
【０００７】
本発明になる燃料ポンプユニット装置は、前記不具合に鑑み成されたもので、単一の燃料ポンプユニット装置に極めて簡単な部品改造、追加により製造コストが大きく上昇することなく、多種類の機関の燃料タンクに共通して使用できる安価な燃料ポンプユニット装置を提供することを目的とする。
【課題を解決するための手段】
【０００８】
本発明になる燃料ポンプユニット装置は、前記目的を達成するために、平板状をなす鍔部、この鍔部から下方に向かって突出する支持筒部および、この支持筒部の内側で前記蓋部材からその上下両方向に延びる第２燃料吐出路を一体に形成してなる蓋部材と；ポンプ収納筒部、このポンプ収納筒部から上方に延びて前記支持筒部にその下方から嵌合されて係止される挿入筒部、ポンプ収納筒部、このポンプ収納筒部から上方に延びて前記支持筒部にその下方から嵌合されて係止される挿入筒部、並びに前記ポンプ収納筒部および挿入筒部間の内周壁に支持されてこれらポンプ収納筒部および挿入筒部内で上下方向に延び、上端部が前記第２燃料吐出路の下端部に接続される第１燃料吐出路を一体に形成してなるポンプ筐体２と；前記ポンプ収納筒部に、その下方から収容されるとともに、ポンプ吐出路を前記第１燃料吐出路の下端部に連通させる燃料ポンプと；ポンプ筐体２の下端に係止されて、前記燃料ポンプの下端を支持するポンプホルダーと；より構成され、前記支持筒部、ポンプ筐体およびポンプホルダーが、燃料タンクの上方開口部を通して燃料タンク内に配置されるとともに前記鍔部が前記上方開口を閉塞するように配置される燃料ポンプユニット装置において、前記ポンプ吐出路および第１燃料吐出路を相互に上下方向に離間させるようにして前記燃料ポンプの上部を前記ポンプ収容筐体に収容する一方、前記ポンプホルダーを、前記ポンプ収容筐体から下方に突出した前記燃料ポンプの下部を収容するように形成し、上下に離間した前記ポンプ吐出路および第１燃料吐出路間に、それらを互いに連通する燃料ポンプ接続カラーを配置し、この燃料ポンプ接続カラーは、前記第１燃料吐出路の下端に当接する上方係止段部および、前記燃料ポンプの上端面に当接する下端を有することを特徴とする。
【発明の効果】
【０００９】
本発明の燃料ポンプユニット装置によると、ポンプ吐出路および第１燃料吐出路を相互に上下方向に離間させるようにして燃料ポンプの上部をポンプ収容筐体に収容する一方、ポンプホルダーを、ポンプ収容筐体から下方に突出した前記燃料ポンプの下部を収容するように形成し、上下に離間したポンプ吐出路および第１燃料吐出路間に、それらを互いに連通する燃料ポンプ接続カラーを配置し、この燃料ポンプ接続カラーは、第１燃料吐出路の下端に当接する上方係止段部および、燃料ポンプの上端面に当接する下端を有することにより、従来の小型燃料タンク用の燃料ポンプユニット装置に対し、燃料ポンプを下方に下げることができ、かかる下方に下がった燃料ポンプは、改造されたポンプホルダーを用いることによりポンプ筐体内に固定配置でき、大排気量の機関の大型の燃料タンク用の燃料ポンプユニット装置を安価に提供することができる。したがって、燃料ポンプユニット装置を構成する蓋部材、ポンプ筐体、燃料ポンプ、ストレーナの大型部品をそのまま流用でき、その実施は小型部品である燃料ポンプ接続カラーの追加及びポンプホルダーの改造にとどめることができるので、大排気量の機関の大型の燃料タンクに対しても燃料ポンプユニット装置の大型部品を共通に使用することができ、汎用性の高い安価な燃料ポンプユニット装置を提供できる。
【発明を実施するための最良の形態】
【００１０】
以下、本発明になる燃料ポンプユニット装置の一実施例について図１により説明する。尚、図２と同一構成部品については同一符号を使用し、説明を省略する。
すなわち、蓋部材１、ポンプ筐体２、燃料ポンプＰ、フィルター５は同一部品が使用される。
１０は、燃料ポンプ接続カラーであり、内部には上下方向にのびる燃料流路１１が穿設され、燃料流路１１の上、下は開口して形成される。本例にあっては、燃料ポンプＰの位置を図２に示される燃料ポンプＰの位置よりＬだけ下方に位置する為に、燃料ポンプ接続カラー１０の、第１燃料吐出路２ｃの下端に当接する上方係止段部１０ａと、燃料ポンプ接続カラー１０の、燃料ポンプＰの上端面に当接する下端１０ｂとの距離をＬとした。尚、燃料流路１１の下端開口１１ａの孔形状は、図２に示される第１燃料吐出路２ｃの下端開口２ｃ２の孔形状と同一に形成された。
【００１１】
即ち、ポンプ吐出路Ｐａおよび第１燃料吐出路２ｃを相互に上下方向に離間させるようにして燃料ポンプＰの上部がポンプ収容筐体２に収容されるので、燃料ポンプＰの下部はポンプ収容筐体２の下方に露出することになり、上下方向に離間したポンプ吐出路Ｐａおよび第１燃料吐出路２ｃ間には、それらを連通する燃料ポンプ接続カラー１０が配置される。そして、ポンプホルダー１２は、ポンプ収容筐体２の下方に露出した燃料ポンプＰの下部を収容するように形成される。このポンプホルダー１２は、図２に示されるポンプホルダー３とは、筒部３ｂの深さが異なる。
具体的には、従来のポンプ筐体２の下方係止突部２ｅの係止段部２ｅ１が当接する係止孔３ｃの上端３ｃ１と底部３ａとの距離がＨであるのに対し、本発明に用いられるポンプホルダー１２にあっては、ポンプ筐体２の下方係止突部２ｅの係止段部２ｅ１が当接する係止孔３ｃの上端３ｃ１と底部３ａとの距離は｛（Ｈ）＋（Ｌ）｝の深さに形成される。
【００１２】
以上によれば、ポンプ収納筒部２ｂ内に配置される燃料ポンプＰの上端Ｐｂに燃料ポンプ接続カラー１０の下端１０ｂを配置するとともに上方係止段部１０ａを第１燃料吐出路２ｃの下端２ｃ３に当接配置することにより、ポンプ収納筒部２ｂ内に配置される燃料ポンプＰを図２に示される位置に比較し、Ｌだけ下方に下げることができる。
尚、燃料ポンプ接続カラー１０の上端は第１燃料吐出路２ｃの下端開口２ｃ２内に挿入接続される。
一方、ポンプホルダー１２の底部３ａは、ポンプ収納筒部２ｂ内に配置される燃料ポンプＰの下端Ｐｃに臨んで配置されるもので、ポンプホルダー１２の係止孔３ｃに、ポンプ筐体２の下方係止突部２ｅが挿入され、その係止段部２ｅ１が係止孔３ｃの上端３ｃ１に係止される。
以上によると、ポンプホルダー１２の係止孔３ｃの上端３ｃ１と底部３ａとの距離が｛（Ｈ）＋（Ｌ）｝の深さに形成されるので、燃料ポンプ接続カラー１０によってＬだけ下方へ移動配置された燃料ポンプＰをポンプホルダー１２によってポンプ収納筒部２ｂ内に固定配置できる。
尚、フィルター５は従来と同様の方法をもって燃料ポンプＰのポンプ吸入路Ｐｄに接続される。
而して、燃料ポンプＰのモータ部に通電されてポンプ部が駆動すると、燃料タンクＴ内の燃料は、ポンプ吸入路Ｐｄを介して燃料ポンプＰ内に吸入され、ポンプ部によって昇圧された燃料がポンプ吐出路Ｐａ、燃料ポンプ接続カラー１０の燃料流路１１、ポンプ筐体２の第１燃料吐出路２ｃ、蓋部材１の第２燃料吐出路１ｃを介して機関に供給される。
【００１３】
ここで、本発明になる燃料ポンプユニット装置によると、燃料ポンプＰの上端Ｐｂを燃料ポンプ接続カラー１０を介してポンプ筐体２の第１燃料吐出路２ｃに接続したこと。及び燃料ポンプＰの下端Ｐｃをポンプホルダー１２の底部３ａをもってポンプ筐体２に係止したこと。により、燃料ポンプＰの燃料タンクＴ内における位置を自在に上下方向に変更できる。
以上によると、単一の燃料ポンプユニット装置を、タンク深さの単なる多種類の燃料タンクＴに対して死残量を変化させることなく使用できるもので、特に燃料ポンプユニット装置を構成する大型部品等を共通に使用でき、その製造コストを低減できたものである。
又、燃料ポンプ接続カラー１０を新たに用意すること。及びポンプホルダー１２に改造を加えること。になるが、何れも蓋部材１、ポンプ筐体２に比較すれば小物部品であるので、コスト上昇を低くおさえることができる。
【図面の簡単な説明】
【００１４】
【図１】本発明になる燃料ポンプユニット装置の一実施例を示す簡略化された縦断面図。
【図２】従来の燃料ポンプユニット装置の縦断面図。
【符号の説明】
【００１５】
１      蓋部材
１ａ    鍔部
１ｂ    支持筒部
１ｃ    第２燃料吐出路
２      ポンプ筐体
２ａ    挿入筒部
２ｂ    ポンプ収容筒部
２ｃ    第１燃料吐出路
２ｃ１  第１燃料吐出路の上端
２ｃ２  第１燃料吐出路の下端
１０    燃料ポンプ接続カラー
１１    燃料流路
１２    ポンプホルダー
Ｐ      燃料ポンプ
Ｐａ    ポンプ吐出路
Ｐｃ    燃料ポンプの下端
Ｔ      燃料タンク
Ｔａ    上方開口部
【図１】
0004664800.tif 000002
【図２】
0004664800.tif 000003